Podtech/llm-jp-corpus-v4-ja_patent huggingface dataset:
(57)【要約】      （修正有）【課題】地震の強震でも転倒しないファンクション構造の耐震箪笥を提供する。【解決手段】底面が傾斜している箪笥１の傾斜角度と、楔型末端凸構造ストッパー付耐震台座２の傾斜角度が同一合致する耐震箪笥であって、上部箪笥と下部楔型末端凸構造ストッパー付耐震台座は上下別々に製作され、傾斜した箪笥底部の後方両サイドに２分した鉄柱重りを挿入する挿入孔４を設けた箪笥転倒防止強化構造と、楔型末端凸構造ストッパー付耐震台座の２重セーフティー転倒防止構造を備える。【選択図】図４
0003224398.tif 000002
【実用新案登録請求の範囲】
【請求項１】
楔型末端凸構造ストッパー付耐震台座を特徴とする耐震箪笥。
【請求項２】
底面が傾斜している箪笥の底面傾斜角度と、楔型末端凸構造ストッパー付耐震台座の傾斜角度は同一で、上部箪笥の傾斜底面と、下部楔型末端凸構造ストッパー付耐震台座の傾斜面が合致接合する構造を特徴とする請求項１記載の耐震箪笥。
【請求項３】
強震による箪笥の転倒防止強化を計る２分した鉄柱重りを挿入する挿入孔を箪笥の後方下部両サイドに設けた構造を特徴とする請求項２記載の耐震箪笥。
【考案の詳細な説明】
【技術分野】
【０００１】本考案は箪笥や食器棚や本棚の耐震ファンクション構造に係わる。
【背景技術】
【０００２】既存の箪笥や食器棚や本棚は耐震構造でない為に強い地震が発生した時には強震で転倒する可能性リスクが高い。転倒防止の後付ツール商品が多種類マーケットに流通しているが、しかし後付する簡易耐震ツール商品では転倒の懸念が払拭できない。
【考案の概要】
【考案が解決しようとする課題】
【０００３】耐震ツール商品を箪笥や食器棚や本棚に後付セッティングしなくても地震の強震で転倒しないファンクション構造の箪笥や食器棚や本棚が希求される。
【課題を解決するための手段】
【０００４】楔型末端凸構造ストッパー付耐震台座の底平面はフローリングや畳に直接密着している。底面が傾斜している箪笥と、楔型末端凸構造ストッパー付耐震台座は別々に製作する。底面が傾斜している箪笥の底面傾斜角度と、楔型末端凸構造ストッパー付耐震台座の傾斜角度は同一で、楔型末端凸構造ストッパー付耐震台座の傾斜面上に、底面が傾斜してる箪笥の底部傾斜面を接合セッティングする。楔型末端凸構造ストッパー付耐震台座の傾斜角度の大きい先端上部は傾斜している箪笥の前面下部に、傾斜角度が小さい方の末端上部は傾斜している箪笥の後部底面に接合セッティングする耐震構造の箪笥。また箪笥の後方下部両サイドに設けた鉄柱の重りは重心を下方に位置して転倒防止の強化を計ったダブル耐震構造。
【考案の効果】
【０００５】楔型末端凸構造ストッパー付耐震台座ファンクション構造と、箪笥の後方底部近くにセッティングする鉄柱重りダブル・セーフティー構造のダブル転倒防止効果で箪笥の転倒リスクを回避クリアします。よって倒れた箪笥や食器棚や本棚の下敷になって重軽傷を負わなくて済みます。特に食器棚は危険で、食器棚や食器棚内部のガラス製品や食器類の破損で再購入の大損害多額出費になりますが、そのリスクも回避クリアして死亡者ゼロ重軽傷者ゼロ治療費ゼロ食器棚や食器類の再購入費ゼロの備えあれば患えなし、で経済的です。
【図面の簡単な説明】
【０００６】
【図１】箪笥の側面図
【図２】箪笥の正面図
【図３】箪笥の背面図
【図４】箪笥の斜視図
【図５】箪笥の後方下部に挿入する２分した鉄柱斜視図
【符号の説明】
【０００７】１・・底面が傾斜している箪笥本体部位
２・・楔型末端凸構造ストッパー付耐震台座部位
３・・楔型末端凸構造ストッパー付耐震台座の末端凸構造ストッパー部位
４・・箪笥転倒防止耐震強化の鉄柱重り挿入孔部位
５・・小物入抽斗部位
６・・箪笥転倒防止耐震強化の２分した鉄柱重り部位
７・・２分した鉄柱重りの挿入ハンドル部位
【図１】
0003224398.tif 000003
【図２】
0003224398.tif 000004
【図３】
0003224398.tif 000005
【図４】
0003224398.tif 000006
【図５】
0003224398.tif 000007
【手続補正書】
【提出日】令和1年10月1日(2019.10.1)
【手続補正１】
【補正対象書類名】実用新案登録請求の範囲
【補正対象項目名】全文
【補正方法】変更
【補正の内容】
【実用新案登録請求の範囲】
【請求項１】
上部箪笥と下部台座からなる耐震箪笥で、底面が傾斜している上部箪笥の底面傾斜角度と、下部台座の楔型末端凸ストッパ−付構造の、台座の上面傾斜角度は同一で、上部箪笥の傾斜底面と下部楔型末端凸ストッパ−付構造の、台座の傾斜上面は接合フィット合致する構造を特徴とする耐震箪笥。
【請求項２】
強震による箪笥の転倒防止強化を図る重り鉄柱の、挿入孔を箪笥の後方下部に設けた構造を特徴とする請求項１記載の耐震箪笥。
(57)【要約】      （修正有）【課題】コンパクトな排便袋を提供する。【解決手段】肛門から出た糞が円筒２から入って袋体１へ入って溜まるようにするため袋体１、円筒２、開口部３、リング４、ストッパー５、補助リング６、テープ７を備える排便袋であって、円筒２の外側周囲に固着した帯状円筒のストッパー５があり、円筒２の開口部３の反対側に四角形の袋体１を固着した。【選択図】図１
0003224301.tif 000002
【実用新案登録請求の範囲】
【請求項１】
円筒２の外側周囲にストッパ５ーを固着してあり、円筒１の一端に袋体１を固着した排便袋。
【考案の詳細な説明】
【技術分野】
【０００１】  本発明は、コンパクトな排便袋に関するものである。
【背景技術】
【０００２】  現在、トイレに行くことができない人や、おむつ使用の寝たきりの人などの排便は、おむつ内排便が主流であるが、おむつ内の排便では皮膚の汚染や臭気などの問題があるため、介護者の負担が大きいのが現状である。
【先行技術文献】
【０００３】従来の排便袋は、肛門の穴に合わせ周囲に排便袋の接着部を接着し、袋体を肛門から裏返しするようにして直腸内に納め、排便と共に肛門から排泄させる構造であった。（特許文献１参照。）
【特許文献１】
【０００４】
【特許文献１】特開２００６−１６７１８１号公報
【考案の概要】
【考案が解決しようとする課題】
【０００５】上記特許文献１に記載のような、肛門から直腸内に挿入し納める排便袋は、挿入の際、使用者に痛みを与えるため、使用者が驚いたり抵抗することがある。肛門周囲の皮膚に円盤を接着したり剥がすことは難しく、また皮膚炎を生ずる危険がある。【０００６】本発明は、このような問題を解決しようとするものであり、コンパクトな排便袋を提供することを目的とする。
【課題を解決するための手段】
【０００７】  （１）本発明に係わる態様は、円筒２に袋体１を固着した排便袋であって、円筒開口部２を肛門に密着停止させて使用する。円筒２を肛門に圧迫するリング４は円筒外周に固着されたストッパー５で制止されており、円筒開口部３からリング４は外れない構造の排便袋１である。
【考案の効果】
【００８】  本発明によれば、コンパクトは排便袋を提供することができる。
【図面の簡単な説明】
【００９】
【図１】排便袋の見取り図である。
【考案を実施するための形態】
【００１０】  以下、本発明の一実施形態について、図面を参照しながら詳細に説明する。
【実施例１】
【００１１】  図に示される袋体１は円筒２に固着している。円筒２には着脱可能なリング４がはめられており、リング４は円筒外壁のストッパー５で開口部３へ抜けないように制止されている。
【実施例２】
【００１２】  図に示される袋体１は円筒２に連結しており、円筒２は円筒２にはめられたリング４に固着する補助リング６に付着するテープ６によって腰ベルトに連結しているため円筒開口部３が肛門に密着して外れないように着用されている。
【符号の説明】
【００１３】１    袋体
２    円筒
３    開口部
４    リング
５    ストッパー
６    補助リング
７    テープ
【図１】
0003224301.tif 000003
【手続補正書】
【提出日】令和1年9月26日(2019.9.26)
【手続補正１】
【補正対象書類名】実用新案登録請求の範囲
【補正対象項目名】全文
【補正方法】変更
【補正の内容】
【実用新案登録請求の範囲】
【請求項１】
肛門から出た糞が円筒２から入って袋体１へ入って溜まるようにするため袋体１、円筒２、開口部３、リング４、ストッパー５、補助リング６、テープ７を備える排便袋であって、円筒２の外側周囲に固着した帯状円筒のストッパー５があり、円筒２の開口部３の反対側に四角形の袋体１を固着した排便袋。
(57)【要約】      （修正有）【課題】押印の際、印の逆さま押しを防ぎ、押印場所等の確認に便利な拡大鏡を付けた印鑑を提供する。【解決手段】押印をしている印鑑の上端に直径、約２センチの拡大鏡３を、重心を自分側に約５ミリ移動し、垂直に、縦に取り付ける。【選択図】図２
0003224302.tif 000002
【実用新案登録請求の範囲】
【請求項１】
拡大鏡を組み合わせた印鑑。
【考案の詳細な説明】
【技術分野】
【０００１】  本考案は印鑑と拡大鏡の組み合わせに関する。
【背景技術】
【０００２】  従来、押印の印面確認は、印面の目視、又は目印で行っている。
【先行技術文献】
【特許文献】
【０００３】
【特許文献１】実開昭５５−１１５８８８号広報
【考案の概要】
【考案が解決しようとする課題】
【０００４】  押印の際、印を逆さまに押してしまう事がある。同時に押印場所等の確認に眼鏡が必要な場合も多い。
【課題を解決するための手段】
【０００５】  印鑑の持手部分の上部に拡大鏡を、中心をずらして組み合わせた構造にする。【０００６】  拡大鏡の部分を自分の側に傾けて手に持った状態が正しい印面の上下の構造にする。【０００７】  拡大鏡の部分は押印場所等の確認に、眼鏡の代用として使用する。
【考案の効果】
【０００６】  押印時の印面確認は、ほとんど不要。【０００７】  拡大鏡の部分は押印場所等の確認に、眼鏡の代用として使用する。
【考案を実施するための形態】
【０００８】  拡大鏡の部分を自分の側に傾けて持った時の感覚で印面の上下を判別する。
【０００９】  拡大鏡の部分は押印場所等の確認に、眼鏡の代用として使用する。
【図面の簡単な説明】
【００１０】
【図１】斜め上から見た見取り図
【図２】側面図
【符号の説明】
【００１１】  １・・・・・・印面
２・・・・・・印鑑本体の持手部分
３・・・・・・組み合わせた拡大鏡
【図１】
0003224302.tif 000003
【図２】
0003224302.tif 000004
【手続補正書】
【提出日】令和1年10月1日(2019.10.1)
【手続補正１】
【補正対象書類名】実用新案登録請求の範囲
【補正対象項目名】全文
【補正方法】変更
【補正の内容】
【実用新案登録請求の範囲】
【請求項１】
押印をしている印鑑の上端に直径、約２センチの拡大鏡を、重心を自分側に約５ミリ移動し、垂直に、縦に取り付けることを特徴とする、拡大鏡を付けた印鑑。
(57)【要約】【課題】竹刀を収納して肩に担いで持運ぶときに肩への接触時の当たりを緩和する竹刀袋を提供する。【解決手段】布材で長尺に形成された袋体１１ａからなり、袋体の内部に竹刀を収納して、持運ぶときには肩に担いで移動する竹刀袋１１であって、袋体における持ち運ぶときに肩へ接触させる位置に、接触時の当たり（衝撃）を緩和するための緩衝材１６を設けた構成である。【選択図】図１
0003224373.tif 000002
【実用新案登録請求の範囲】
【請求項１】
布材で長尺に形成された袋体からなり、該袋体の内部に竹刀を収納して、持運ぶときには肩に担いで移動する竹刀袋であって、
前記袋体における前記持ち運ぶときに肩へ接触させる位置に、接触時の当たりを緩和するための緩衝材を設けたこと
を特徴とする竹刀袋。
【請求項２】
前記緩衝材は、所要厚さの箱形状に形成され、上部側及び／又は下部側に斜めカット部を設けたこと
を特徴とする請求項１に記載の竹刀袋。
【請求項３】
前記袋体は、外側布と内側布との二重構造に形成され、当該外側布と内側布との間に前記緩衝材を設けたこと
を特徴とする請求項１に記載の竹刀袋。
【考案の詳細な説明】
【技術分野】
【０００１】
本考案は、竹刀を収納して持運ぶときに用いる竹刀袋に関するものである。
【背景技術】
【０００２】
従来の竹刀袋としては、次のような構成のものが知られている。この竹刀袋は、帆布などの布材で長尺に形成された袋体からなり、袋体の上部の内部に鍔入れ部を備え、袋体の上部寄りの側部に所用長さの竹刀収納口が設けられ、竹刀収納口の近傍の外側には紐材が取り付けられており、底部には補強用の底板部が設けられた構成である（特許文献１参照）。
【０００３】
このような構成の竹刀袋は、竹刀収納口から内部に２本程度の竹刀を収納し、鍔を鍔入れ部に収納して、袋体の上部を折り曲げて重ね合わせ、紐材をぐるりと巻き付けてから結んで使用する。また、持運ぶときには竹刀袋を手に持って肩に担ぐとともに、竹刀袋の上部側に引っ掛けた防具袋を背中に受けた状態で移動する。
【先行技術文献】
【特許文献】
【０００４】
【特許文献１】特開２００５−３０５０８２号公報
【考案の概要】
【考案が解決しようとする課題】
【０００５】
この従来例の竹刀袋においては、竹刀袋を肩に担いで移動するときに、背中に受けた防具袋の重量によって、竹刀袋が接触する肩の部分に痛みや違和感が発生するという問題点を有している。
【０００６】
従って、従来例における竹刀袋においては、竹刀袋を肩に担いで移動するときに、肩への接触時の当たりを緩和して、肩の痛みや違和感の発生を防止すること解決しなければならない課題を有している。
【課題を解決するための手段】
【０００７】
前記従来例の課題を解決するための本考案の要旨は、布材で長尺に形成された袋体からなり、該袋体の内部に竹刀を収納して、持運ぶときには肩に担いで移動する竹刀袋であって、前記袋体における前記持ち運ぶときに肩へ接触させる位置に、接触時の当たりを緩和するための緩衝材を設けたことである。
【０００８】
また、前記緩衝材は、所要厚さの箱形状に形成され、上部側及び／又は下部側に斜めカット部を設けたこと、；
前記袋体は、外側布と内側布との二重構造に形成され、当該外側布と内側布との間に前記緩衝材を設けたこと、；
を含むものである。
【考案の効果】
【０００９】
本考案に係る竹刀袋によれば、袋体の肩へ接触させる位置に、接触時の当たりを緩和するための緩衝材を設けたことによって、肩の痛みや違和感の発生が防止できるという優れた効果を奏する。
【００１０】
緩衝材は、所要厚さの箱形状に形成され、上部側及び／又は下部側に斜めカット部を設けたことによって、竹刀収納口から内部に竹刀を収納する時や、竹刀を竹刀収納口から取り出す時に、竹刀の先端等が緩衝材に引っ掛からないので、スムーズな出し入れができるという優れた効果を奏する。
【００１１】
袋体は、外側布と内側布との二重構造に形成され、当該外側布と内側布との間に緩衝材を設けたことによって、緩衝材が袋体の内部に露出しないので、竹刀の先端等が緩衝材に引っ掛ることがなく、スムーズな出し入れができるという優れた効果を奏する。
【図面の簡単な説明】
【００１２】
【図１】本考案に係る竹刀袋の正面図である。
【図２】本考案に係る竹刀袋の背面図である。
【図３】本考案に係る竹刀袋の一部を破断して内部を示す側面図である。
【図４】緩衝材の斜視図である。
【考案を実施するための形態】
【００１３】
次に、本考案の実施の形態について図面を参照しながら説明する。まず、図１から図３において、符号１１は竹刀袋を示し、この竹刀袋１１は、帆布等の布材で長尺に形成された袋体１１ａからなり、袋体１１ａの上部の内部に鍔入れ部１３を備え（図１及び図３参照）、袋体１１ａの上部寄りの側部に所用長さの竹刀収納口１２が設けられ（図３参照）、竹刀収納口１２の近傍の外側には紐材１４が取り付けられており、底部には補強用の底板部１５が設けられる。
【００１４】
このような竹刀袋１１は、竹刀収納口１２から内部に２本程度の竹刀を収納し、鍔を鍔入れ部１３に収納して、袋体１１ａの上部を折り曲げて重ね合わせ、紐材１４をぐるりと巻き付けてから結んで使用する（図１から図３参照）。
また、持運ぶときには竹刀袋１１を手に持って肩に担ぐとともに、竹刀袋１１の上部側に引っ掛けた図示しない防具袋を背中側に受けた状態で移動する。
【００１５】
袋体１１ａにおける持ち運ぶときに肩へ接触させる位置には、接触時の当たり（衝撃）を緩和するための緩衝材１６が設けられている。
緩衝材１６は、具体的には、ウレタン材、ゴム材、スポンジ材、あるいは合成樹脂材等であり、適宜の弾力性を備えている。
【００１６】
また、緩衝材１６は、図４に示すように、所要厚さの箱形状に形成され、その上部側及び下部側には斜めカット部１６ａが設けられている。
このように、斜めカット部１６ａが設けられていることによって、竹刀収納口１２から内部に竹刀を収納する時や、竹刀を竹刀収納口１２から取り出す時に、竹刀の先端等が緩衝材１６に引っ掛からない。従って、竹刀のスムーズな出し入れができる。
【００１７】
また、袋体１１ａは、図３に示すように、外側布１１ｂと内側布１１ｃとの二重構造に形成されており、この外側布１１ｂと内側布１１ｃとの間に緩衝材１６が、縫着又は貼着等の適宜な取付手段で取り付けられている。
このように緩衝材１６が取り付けられていることによって、緩衝材１６が内側布１１ｃに覆われて、袋体１１ａの内部に露出しないので、竹刀の先端等が緩衝材１６に引っ掛ることがなく、上述の斜めカット部１６ａの存在と相俟って竹刀のスムーズな出し入れができる。
【００１８】
以上のように構成される竹刀袋１１は、袋体１１ａにおける持ち運ぶときに肩へ接触させる位置に、接触時の当たりを緩和するための緩衝材１６を設けたことによって、肩の痛みや違和感の発生が防止できる。
【符号の説明】
【００１９】
１１  竹刀袋
１１ａ  袋体
１１ｂ  外側布
１１ｃ  内側布
１２  竹刀収納口
１３  鍔入れ部
１４  紐材
１５  底板部
１６  緩衝材
１６ａ  斜めカット部
【図１】
0003224373.tif 000003
【図２】
0003224373.tif 000004
【図３】
0003224373.tif 000005
【図４】
0003224373.tif 000006
(57)【要約】      （修正有）【課題】金銭および関連書類そのものの管理と、金銭に関連する情報の管理とを単体で達成することが可能な、出納帳としての機能を有する、金銭の収容に適した収容袋を提供する。【解決手段】３辺が封止され１辺が開口した収容部と、収容部の開口から延長した蓋部とを備え、収容部の少なくとも一方の面に、金銭の管理に用いる情報を記入可能な記入欄を有する。【選択図】図１
0003224342.tif 000002
【実用新案登録請求の範囲】
【請求項１】
３辺が封止され１辺が開口した収容部と、前記収容部の開口から延長した蓋部とを備え、前記収容部の少なくとも一方の面に、金銭の管理に用いる情報を記入可能な記入欄を有する収容袋。
【考案の詳細な説明】
【技術分野】
【０００１】
本考案は、出納帳としての機能を有する、金銭等の収容に適した収容袋に関するものである。
【背景技術】
【０００２】
銀行やコンビニエンスストア、駅などにはＡＴＭ（現金自動預払機）が設置されているが、通例、ＡＴＭには引き出した金銭を収容するための封筒が備えられている。口座から引き出したばかりの現金を、財布ではなくこの封筒に収容する利用者は多い。また、持ち帰ったこの封筒を、その後も小口現金の管理に利用する場合もある。
【０００３】
このような封筒を用いて小口現金を管理する場合、単に現金を収容するだけではなく、金銭の受領や支払いの日付、用途などを記載する場合がある。しかし、これらの封筒には、銀行などのＡＴＭ設置者の広告が印刷されている場合が多い。あるいは、封筒全体が着色されている場合もある。そのため、情報を書き込むことができる面積が少なく、頻繁に新しい封筒に交換しなければならない。また、封筒にイラストなどが描かれていると、その部分を避けて書き込まざるをえず、同種の情報を揃えて書くことができない場合がある。そのため、内容を理解しづらくなり、また見栄えが悪くなるという不都合がある。
【０００４】
かかる不都合を回避するため、市販されている無地の封筒を用いる場合もある。しかし、この場合であっても、記入するための枠が設けられているものではないため、文字が斜めになってしまう場合があるなど、書き込みに適しているとは言い難い。
【０００５】
上記理由から、現金そのものは封筒に収容して管理し、金銭の管理に関連する情報は別に用意した帳簿に記入することで管理する場合がある。しかし、この方法では現金を収容した封筒と、情報を記載した帳簿とを、別々に保管しなければならないという不都合がある。
【０００６】
特許文献１には、ファイルに綴り込むための保持穴、および金銭等を挿入できる収容ポケットを設けた、ファイリング仕分封筒が開示されている。この考案には、記入欄を設けたことを特徴とする封筒が含まれる。しかし、この考案の封筒は、ファイルに綴じ込むための保持穴を本体側部に有する。そのため、加工工程が複雑となり、安価に提供するという観点において改良の余地がある。
【先行技術文献】
【特許文献】
【０００７】
【特許文献１】実用新案登録第３１２４９３１号公報
【考案の概要】
【考案が解決しようとする課題】
【０００８】
本考案は、金銭および関連書類そのものの管理と、金銭に関連する情報の管理とを単体で達成することが可能な、出納帳としての機能を有する、金銭の収容に適した収容袋を提供することを目的とする。
【課題を解決するための手段】
【０００９】
上記課題を解決するため、本考案は、３辺が封止され１辺が開口した収容部と、前記収容部の開口から延長した蓋部とを備え、前記収容部の少なくとも一方の面に、金銭の管理に用いる情報を記入可能な記入欄を有する収容袋を提供する。
【考案の効果】
【００１０】
本考案による収容袋は、金銭の管理に用いる情報を記入するための欄を設けたことにより、金銭等を収容する機能に加え、出納帳としての機能も有する。これにより、金銭の管理に用いる情報を、読みやすく記入することが容易になる。したがって、金銭および関連書類そのものと、金銭に関連する情報とを、一体的に管理することが可能となる。
【図面の簡単な説明】
【００１１】
【図１】図１は、本考案の収容袋を示す平面図である。
【考案を実施するための形態】
【００１２】
本考案による収容袋は、金銭および関連書類を収容するための収容部と、折り返して収容部の開口を覆うことができる蓋部とを備える。収容物は一般に重要なものであるが、蓋部を備えることによって、誤ってまたは運搬などの際に逆さになっても、収容物が落下することをある程度抑制できる。
【００１３】
本考案による収容袋は、金銭および関連書類を主な収容対象とする。金銭としては、紙幣および硬貨が挙げられる。関連書類としては、限定されるものではないが、レシート、請求書、支払い明細書、領収書などが挙げられる。
【００１４】
本考案による収容袋の寸法は、意図する収容物に適した寸法であってよい。例えば、主な収容物として紙幣を想定する場合は、ＡＴＭに用意されているような、収容部の幅１２０ｍｍ、高さ２１５ｍｍ、蓋部の長さ４２ｍｍ程度の寸法が好適である。硬貨の収容を対象とする場合、より小さい寸法としてもよい。あるいは、請求書や支払い明細書を収容する場合、Ａ４や角２のような、より大きい寸法が好適でありうる。
【００１５】
一実施形態において、金銭の管理に用いる情報は、例えば、受領または支払いの日付、購入物など金銭授受の原因、収入および支出の金額、差引残高を含む。これらの項目について、項目名および記入欄が、本考案による収容袋の片面または両面に印刷される。この他、部署や個人名などを記入する枠、確認印を捺印する欄などをさらに設けてもよい。
【００１６】
本考案による収容袋は、紙やプラスチックフィルムなど、好適な加工性と耐久性を有する任意の素材から作製することができる。例えば、クラフト紙、ＯＰＰ（二軸延伸ポリプロピレン）、ＣＰＰ（無延伸ポリプロピレン）、ＰＥ（ポリエチレン）、ＰＥＴ（ポリエチレンテレフタレート）、ビニール、セロファン等が挙げられるが、これらに限定されない。
【００１７】
ただし、情報の記入を容易にするという本考案の目的から、一般的な筆記具で書き込むことが可能であることを要する。そのため、例えばプラスチックフィルムを素材とする場合、表面にマットインクで加工を施す。これにより、鉛筆やボールペンで記入することが可能となる。
【００１８】
なお、本考案は上記の実施形態に限定されるものではなく、本考案の趣旨に基づいて種々変形させることが可能であり、それらを本考案の範囲から排除するものではない。
【図１】
0003224342.tif 000003
(57)【要約】      （修正有）【課題】焼き付ける日の光を遮り、木陰を創出する事でランナーの疲労を軽減する事が出来る日傘を提供する。【解決手段】ランナーが直射日光を遮るために使用する日傘に於いて、傘を形成する一本の傘骨１に、四角形の日除けとなる布４を取り付けて日傘３を形成し、布４が風の抵抗を受ると旗の様にたなびく事により、日傘にかかる風圧を極力小さくした。傘骨１には、クリップ５を設けて、傘骨１を帽子２の鍔７に挟んで装着する事により、日傘３と帽子２を一体化した。また、ランナーが走行している時に、日傘の布４が前後左右にずれ動く事がないようにするため、布に円形の穴６を設けて、帽子２の頭部がはまり込むようにした。【選択図】図３
0003224320.tif 000002
【実用新案登録請求の範囲】
【請求項１】
ランナーが直射日光を遮るために使用する日傘に於いて、傘を形成する一本の傘骨（１）に、四角形の日除けとなる布（４）を取り付けて日傘（３）を形成し、布（４）が風の抵抗を受ると旗の様にたなびく事により、日傘にかかる風圧を極力小さくしたことを特徴とする日傘
【請求項２】
傘骨（１）には、クリツプ（５）を設けて、傘骨（１）を帽子（２）の鍔（７）に挟んで装着する事により、日傘（３）と帽子（２）を一体化する事を特徴とする請求項１記載の日傘
【請求項３】
ランナーが走行している時に、日傘の布（４）が前後左右にずれ動く事がないようにするため、布に円形の穴（６）を設けて、帽子（２）の頭部がはまり込むようにした事を特徴とする請求項１及び２記載の日傘
【考案の詳細な説明】
【産業上の利用分野】
【０００１】  マラソン等、屋外で走る競技では、ランナーの熱中症対策が重要です、大会の主催者は当日の天候に気を配り、沿道に給水所を設けて係員を大勢動員して飲み水を提供します。
近年、異常気象による猛暑日が多発しています、夏季の大会に於いてはランナーの極度の疲労や熱中症による棄権者の続出が心配されます、スタートを切ったランナーはゴールを目指して走りを止める事はありません、暑さとの戦いは覚悟の上とは云え、真夏の異常なまでの太陽光の直射にはランナーの命さえ危ぶまれます、ランナーもサングラスや帽子を着用しますが、それは頭や顔の一部を直射日光から守るだけで，全身を保護する大きな効果は期待できません、本考案は体の全体を照射する日の光を遮り、ランナーにより多くの日陰を与えて、熱中症対策に寄与する日傘を提供するものである
【従来の方法】
【０００２】  ランナーが照り付ける日の光から逃れるには、帽子やサングラスの着用と、腕や上半身を守るために通気性のあるシャツを着るぐらいでした、しかし、体を包むシャツはどうしても熱がこもるために、発汗が促され体力が消耗します、そのような事でいずれの方法も、大きな効果は期待できず、やむなく多くのランナーは、体を出来るだけ身軽にして照り付ける日の光を受け入れ、水分を取りながら過酷な戦いに、立ち向かい只々ゴールを目指して走るしかすべはありませんでした。
【考案が解決しょうとする課題】
【０００３】  考案が解決しょうとする課題は次の４項目に整理することが出来る
【０００４】▲１▼手を使うことなく日傘をさして走行することが出来る様にしたい
【０００５】▲２▼ランナーの走行による空気抵抗や、風の影響で煽られる等、日傘を使用するために生じる精神的な煩わしさや体力の消耗を防ぎたい
【０００６】▲３▼帽子の鍔に装着する日傘の脱着が簡単に出来る様にしたい
【０００７】▲４▼帽子の鍔（７）に取り付けた日傘（３）の布（４）が、風の変化で前後左右にずれ動くことのない様にしたい
【課題を解決する手段】
【０００８】  マラソン競技でランナーに降り注ぐ直射日光を、遮るために用いる日傘を形成するために、当考案は、図２に示す様に一本の傘骨（１）に四角形の布（４）を取り付けた、布には、図３に示す様に帽子の頭部が入るほどの大きさの円形の穴（６）を開けて、日傘が走者の風圧や横風に煽られて、ずれ動くことのないようにした、更に傘骨（１）には日傘（３）を帽子（２）に取り付けるためのクリツプ（５）を設けました。
日傘（３）は図３で示す様に帽子（８）の鍔（７）にクリツプ（５）で挟んで取り付けられ、日除けとなる布（４）は帽子（２）の上に被せられて日傘の役目を発揮するのです、しかし、布の縁周りは、帽子を中心に垂れ下がりますので日除け効果にロスが生じますが、図２で示す様に布の中程に、骨（１）に平行したピアノ線（８）を設けた、弾力のあるピアノ線（８）の働きにより、布に張りを持たせ垂れ下がる事が無い様にした。
【考案を実施するための形態】
【０００９】  マラソン大会当日に真夏の太陽が照り付けて、日傘が必要と判断される時にランナーは、走りながらでも帽子に日傘を簡単に装着することが出来ます、傘の骨（１）をクリツプ（５）で帽子の鍔（７）に、挟んで固定すれば、日傘は使用可能となります、この時に帽子（２）の頭の部分は図３に示す様に、布（４）に開けた丸い穴（６）にはまり込む事で、日傘の布（４）は前後左右ずれ動く事はありません、帽子に装着した日傘は、ランナーが手で支る必要はなく、両手は解放されるので走る事に集中できるのです、しかし、日傘は横風の影響も受けますので、帽子が脱げ落ちる心配があります、帽子は深めで少しきつめのサイズにして顎紐をつける等事前の準備は欠かせません。
ランナーはかなりのスピードで走りますので、日傘が受ける風圧は大きなものですが、しかし、日傘の布（４）は傘骨（１）を旗竿代わりにして風にはためきますので、風圧の全てが直接布（４）に大きくかかる事はありません、又、布は自由に揺らぐので日傘（３）が風にあおられるのを防ぎますのでランナーのスピードに大きなロスを与える事は避けられるのです
【考案の効果】
【００１０】  本考案は上述の通り構成されており、次に記載する効果を創出する
【００１１】▲１▼四角い布（４）は，真っ直ぐな一本の傘骨（１）に取り付けられているので旗の様に風にたなびきますから、日傘が受ける風の抵抗を低くします、
【００１２】▲２▼日傘は傘骨（１）に設けた２個のクリップで帽子の鍔（７）に取り付けて、布を帽子の上に被せる事で使用する事が出来ます、ランナーは両手が解放れますので、手を交互に振り支障なく走りに専念できます。
【００１３】▲３▼日傘は照り付ける太陽光からランナーの頭や顔だけでなく、全身を守りますので熱中症の対策に貢献します
【００１４】▲４▼ランナーに吹く風の向きは前方からばかりとは限りません、布はあらゆる方向から風にあおられますが、帽子の頭部が布（４）に設けた穴（６）にスッポリはまり込んでいますので、日傘がずれ動く事を防ぎます
【図面の簡単な説明】
【００１５】
【図１】日傘の正面図
【００１６】
【図２】日傘の背面図
【００１７】
【図３】日傘の斜視図
【符号の説明】    １、傘骨
２、帽子
３、日傘
４  布
５  クリップ
６  円形の穴
７  鍔
８  ピアノ線
【図１】
0003224320.tif 000003
【図２】
0003224320.tif 000004
【図３】
0003224320.tif 000005
(57)【要約】      （修正有）【課題】計量スプーン大さじ、小さじの計量と、更に大さじ小さじの各１／２の４種類が計量できる計量型付き容器を提供する。【解決手段】調味料容器蓋２には計量スプーン収納室４、５を設け計量大さじと小さじを常備する。容器１の上部に水平、大半円、小半円の突起が付いた計量型６を装着する。計量大さじ又は小さじで調味料をすくい上げて計量型６の水平面で摺切り計量をし、又は、大さじで調味料をすくい上げ、計量型６大半円の突起で擦り落とし、大さじ１／２を計量し、又は、小さじで調味料をすくい上げ、計量型６小半円の突起で擦り落とし、小さじ１／２を計量し、調理に必要な４種類の計量ができ、調味料の貯蔵、計量、収納が一つの容器で出来る。【選択図】図１
0003224313.tif 000002
【実用新案登録請求の範囲】
【請求項１】
容器蓋に計量スプーンの大さじと小さじの収納室を設け常備してあり、容器上部には水平・大さじ半円・小さじ半円の計量型を装備されており、砂糖、塩など計量スプーンで容器からすくった調味料を計量型の水平面で摺切り大さじ小さじ各１杯の計量ができる、計量型の大さじ半円で擦り落として大さじ１／２の計量、計量型の小さじ半円で擦り落として小さじ１／２の計量、調理に必要な４種類の計量ができる、１つの容器で調味料の貯蔵と計量から計量スプーンの収納までが全て出来ることが特徴とする計量型付き容器。
【考案の詳細な説明】
【技術分野】
【０００１】  本考案は、調理の際に必要な計量スプーンを容器蓋に常備しており、調味料容器上部に計量型を装着、各計量スプーンで容器からすくった調味料を計量型で摺切りすることで大さじ、小さじ、更に大さじ小さじの１／２の４種類の計量ができる、計量型付き容器に関するものである。
【背景技術】
【０００２】  調理の際に砂糖、塩など計量に最小限でも大さじ小さじと各１／２の４本は必要であり、調理の際に計量スプーンを用意したり、洗ってから収納したりなど手間が掛かり面倒であった。
【考案の概要】
【考案が解決しようとする課題】
【０００３】  容器蓋に計量スプーン収納室が設けてあり、大さじ、小さじ用計量スプーンを常備しており、調味料を計量スプーンですくって、計量型で摺切りすることで大さじ、小さじの一杯の計量ができる、更に大さじ小さじの１／２の４種類の計量が簡単にできる上、計量道具の用意収納の手間など面倒さを解消する。
【課題を解決するための手段】
【０００４】  本考案は容器蓋に設けた収納室に計量スプーン大さじ小さじを常備、計量スプーンで水平に計る機能と大さじ小さじ１／２に計る機能を備えた計量型を装着、４種類の計量を可能にし問題点を解決している。
【考案の効果】
【０００５】  調味料容器の容器蓋には計量スプーン大さじ小さじが常備されている為，計量具の出し入れの手間が省ける。容器上部には計量型が装着してあり計量型水平面で摺切り、大さじ小さじ各１杯の計量。大小半円で擦り落とすことで大さじ小さじの１／２計量、４種類の計量が出来る。容器蓋を横に立てると計量スプーンが個別に取り出し収納が容易で場所を取らない。
【図面の簡単な説明】
【０００６】
【図１】本考案による計量容器実施例の斜視図である。
【図２】本考案による計量容器実施例の縦断面図である。
【図３】本考案による計量容器実施例の容器蓋収納側面図である。
【図４】本考案による計量容器実施例の背面計量型図である。
【図５】本考案による計量スプーン実施例の説明図である。
【考案を実施するための形態】
【０００７】  調味料容器と計量スプーン収納室に計量型で構成されている。容器蓋には計量小スプーン収納室を設け常時計量大さじ小さじを装備。容器蓋を横に立てると個別に取り出し易く収納が簡単であり場所を取らない。計量型には水平面と半円の大小突起が付いている。計量小さじで調味料をすくい上げ半円の小突起で擦り落とすと小さじ１／２の計量が出来る。計量大さじで調味料をすくい上げ半円の大突起で擦り落とすと大さじ１／２の計量が出来る。調味料容器内で調味料の貯蔵と計量と収納ができる。
【実施例】
【０００８】  添付図面に従って一実施例を説明する。１は調味料容器の上部に６は計量型が１に装着してある２は容器蓋には４は計量小さじ収納室と５は計量大さじ収納室である。２は容器蓋を横に立てると取り出し易く収納が簡単であり場所を取らない。６は計量型には水平面と半円の大小突起が付いている７は計量小さじですくい上げた調味料を計量型の水平面で摺切り小さじ計量。半円の小突起の上に押し当てながら手前に引くと計量小さじの１／２が計量できる。８は計量大さじで調味料をすくい上げ計量型の水平面で摺切り計量。半円の大突起の上に押し当てながら手前に引くと計量大さじの１／２が計量できる。
【符号の説明】
【０００９】  １  調味料容器
２  容器蓋
３  取っ手
４  小さじ収納室
５  大さじ収納室
６  計量型
７  計量小さじ
８  計量大さじ
【図１】
0003224313.tif 000003
【図２】
0003224313.tif 000004
【図３】
0003224313.tif 000005
【図４】
0003224313.tif 000006
【図５】
0003224313.tif 000007
(57)【要約】      （修正有）【課題】折り畳み式コーンバーを提供する。【解決手段】折り畳みコーンバー１はバー２を蝶番３で接続して運ぶときは、折り畳んで持ち運び、使用するときはバーとバーを伸ばしてコーンバーリング４をコーンに掛けて使用する。  【選択図】図１
0003224234.tif 000002
【実用新案登録請求の範囲】
【請求項１】
蝶番で接続した複数のバーでなり、両端部のバーの蝶番とは異なる端部にコーンハバーリングを備えた事を特徴とする折り畳み式コーンバー。
【考案の詳細な説明】
【技術分野】
【０００１】
本考案はコーンバーを折りたたみにしたコーンバーに関するものである。
【背景技術】
【０００２】
従来コーンバーは1本のバーか伸縮するスライドコーンバーか、メジャー巻尺の物であった。
【考案の概要】
【考案が解決しようとする課題】
【０００３】
従来のコーンバーは一定の長さの物か、伸縮するスライドの物かメジャー巻尺の物であつた。
どちらも一寸高価で一定の長さの物のように、現場に固定できなくて不便であつた。
本考案はその欠点を解決するものである。
【課題を解決するための手段】
【０００４】
本考案は蝶番で接続した複数のバーでなり、両端部のバーにコーンバーリングを備えた事を特徴とする折り畳み式コーンバー。
【考案の効果】
【０００５】
上述の様に安価で折りたたみのバーが製作出来るので、スペースも取らず持ち運びに便利で長さの調整も出来、現場に固定して置き、危険防止ができるコーンバー。  
【図面の簡単な説明】
【０００６】
【図１】本考案の折り畳みのコーンバーの構成  （ａ）   伸ばした状態  （ｂ）折り畳み途中    （ｃ） 折り畳んだ状態
【考案を実施するための形態】
【０００７】
図１に本考案の折り畳みのコーンバーの構成を示す。
本考案の折り畳みコーンバー１は、蝶番３で折り曲げ可能性に接続された複数のバー２を備え、両端のバー２には、蝶番とは異なる側に、コーンバーリンク４を備えた構成である。
（ａ）は、コーンバー１を伸ばした状態  （ｂ）は、折り畳み途中    （ｃ） は折り畳んだ状態を示す。
本考案の折り畳みコーンバーは、（ｃ）のように、バーを折りたたんで持ち運び、使用するときは（ａ）のように、伸ばしてコーンバーリングをコーンに掛けて使用する。
【符号の説明】
【０００８】
１コーンバー
２バ―
３蝶番
４ コーンバーリンク゛
【図１】
0003224234.tif 000003
【手続補正書】
【提出日】令和1年10月4日(2019.10.4)
【手続補正１】
【補正対象書類名】実用新案登録請求の範囲
【補正対象項目名】全文
【補正方法】変更
【補正の内容】
【実用新案登録請求の範囲】
【請求項１】
蝶番で接続した複数のバーでなり、両端部のバーの蝶番とは異なる端部にコーンバーリングを備えた事を特徴とする折り畳み式コーンバー。
【手続補正２】
【補正対象書類名】明細書
【補正対象項目名】０００３
【補正方法】変更
【補正の内容】
【０００３】
従来のコーンバーは一定の長さの物か、伸縮するスライドの物かメジャー巻尺の物で あつた。どちらも一寸高価で一定の長さの物のように、現場に固定できなくて不便であつた。 本考案はその欠点を解決するものである
【手続補正３】
【補正対象書類名】明細書
【補正対象項目名】０００７
【補正方法】変更
【補正の内容】
【０００７】
図１に本考案の折り畳みのコーンバーの構成を示す。 本考案の折り畳みコーンバー１は、蝶番３で折り曲げ可能性に接続された複数のバー２を 備え、両端のバー２には、蝶番とは異なる側に、コーンバーリング４を備えた構成である。   （ａ）は、コーンバー１を伸ばした状態  （ｂ）は、折り畳み途中    （ｃ） は折り 畳んだ状態を示す。 本考案の折り畳みコーンバーは、（ｃ）のように、バーを折りたたんで持ち運び、使用 するときは（ａ）のように、伸ばしてコーンバーリングをコーンに掛けて使用する。
(57)【要約】      （修正有）【課題】棚板を受け支えする棚受の機能を平面の形をした躯体に設けて自立させた設置型の棚受を提供する。【解決手段】左右対称の二枚一組の平板からなる基材を、棚を設ける空間の左右両側面それぞれに一枚ずつ密着させて設置した状態において、二枚の基材それぞれが互いに向き合う面の平面対称の任意の位置に棚板３を受け支えする棚受の役目をする突起部を設けた。【選択図】図３
0003224286.tif 000002
【実用新案登録請求の範囲】
【請求項１】
左右相称の一対から成る躯体の其々に棚受の機能を持たせ、これらを棚を設ける空間の左右両側の側面に密着させて設置する事により、棚受けの役目としたところを特徴とする自立した棚受板。
【請求項２】
棚受を設ける空間の左右両側の側面に棚受具を直接取付ける事なく、棚受けとしての機能を持つことを特徴とする棚受板。
【請求項３】
請求項１において、棚板を備えることによって自立が安定する棚受板。
【考案の詳細な説明】
【技術分野】
【０００１】    本考案は、棚板を受け支えする棚受の機能を平面の形をした躯体に設けて自立させた設置型の棚受に関するものである。
【背景技術】
【０００２】    棚を設けるには、それを設ける空間の左右両側の側板面に、棚板を受け支えするための棚受具を、直接木ねじ等で取付けて固定する必要があった。
【先行技術文献】
【特許文献】
【０００３】
【特許文献１】特開２０１１−１８２８５５
【考案の概要】
【考案が解決しようとする課題】
【０００４】    棚板を設ける箇所の左右両側面に棚受具を木ねじ・補助レール等で直接取り付けて固定する場合には、取り付ける箇所に加工による傷が出来て、また側面を構成する素材によっては耐荷重強度の大きな棚受は取り付けられなかったり、又棚受そのものを取り付ける事が困難な場合がある。更には、棚受具の形状によっては出っ張りのために棚板面の使用できるスペースを狭める事もある。従って、本案における棚受板は棚を設ける空間の左右両側面の素材の種類に関わらず棚を設置できるので、前述の欠点を解決しようとするものである。
【考案の効果】
【０００５】上述の様に、棚板を設ける空間の左右両側には棚受を直接取り付ける必要がなくなるので、棚板を設ける空間の両側面に使用されている素材の強度・加工の難易度には関わらず、棚受の機能を得ることができる。【０００６】棚を設ける空間の左右両側の側板面に木ねじ・補助レール等を直接取り付ける必要がなくなるので、棚受けを取り付ける箇所へ傷等の負荷を与えない。
【図面の簡単な説明】
【０００７】
【図１】左右相称の一対、２枚からなる棚受板の斜視図である。
【図２】棚受板に設けられた棚受の凸部が棚板を受け支えする箇所を拡大した斜視図である。
【図３】棚を設ける空間の左右両側の側面に棚受板を設置して、それに棚板を乗せた一事例の斜視図である。
【考案を実施するための形態】
【０００８】棚板を受け支えする左右相称の一組の棚受板の左右の２枚は、それぞれ４辺から成る板（或いは４辺からなる枠でもよい）の形状していて、それぞれの板の片側面にのみ棚板を安定して受け支えるための凸部と凹部の組み合わせから成る棚受の機能を持たせる。これら左右２枚の棚受板は、棚受の機能を持つ面を棚を設置する空間側に向けて、裏側面をそれぞれ棚を設けようとする左右両側の側面に密着させるように設置することにより、棚受けの機能を成す。
棚板は、棚を設ける空間の中央手前から水平の状態で、左右２枚の棚受板を左右両側面に密着させた状態にして棚受板の凹部に差し込んで棚受部の凸部分で受け支える。棚板を差し込んで棚板を設置することにより、棚板が持つ左右方向への応力により、左右側面に置かれた両棚受板はその位置に安定する。なお、設ける棚受の各段の上下の間隔を変えることによって、また棚受に設置する棚板の上下の位置を変えることにより、棚板同士の上下間の間隔を変えることができる。
【符号の説明】
【０００９】１．棚受板
２．棚板を受け支えする棚受の機能を持つ凸部
３．棚板
４．棚受板に棚板を載せて棚を設置した空間の一例
【図１】
0003224286.tif 000003
【図２】
0003224286.tif 000004
【図３】
0003224286.tif 000005
【手続補正書】
【提出日】令和1年9月27日(2019.9.27)
【手続補正１】
【補正対象書類名】実用新案登録請求の範囲
【補正対象項目名】全文
【補正方法】変更
【補正の内容】
【実用新案登録請求の範囲】
【請求項１】
左右対称の二枚一組の平板からなる基材を、棚を設ける空間の左右両側面それぞれに一枚づつ密着させて設置した状態において、二枚の基材それぞれが互いに向き合う面の平面対称の任意の位置に棚板を受け支えする棚受の役目をする突起部を設けた事を特徴とする棚受板。
【請求項２】
請求項１の棚受板において、基材に使用する平板を四辺から成る枠とした請求項１に記載の棚受板。
(57)【要約】      （修正有）【課題】寝たきり状態の病人の排便によるお尻等の皮膚の荒れを防ぐ簡易オムツを提供する。【解決手段】疾病で寝たきり病人の排便に使用する袋を付けたオムツ１であり、オムツの真ん中に５ｃｍ四方の穴２をあけ、その穴にビニール袋３の上部を接着し、ビニール袋の中の下方に便を吸着するパッド４を接着し、袋の中に便が溜まる仕組みとした。【選択図】図１
0003224285.tif 000002
【実用新案登録請求の範囲】
【請求項１】
疾病で寝たきり病人の排便に使用する、
排便時に使用するおむつの真ん中に直径５ｃｍ程の丸い穴又は四角い穴をあけ、おむつの内側の穴の上につるつるとしたビニール袋の上部を接着し、下部は袋状の状態のままにして置き、その袋の中に便が吸着するパッドを装着、排便が溜まる仕組みの特徴を持ったおむつと、最初から袋が付いているおむつである。
【考案の詳細な説明】
【考案の詳細な説明】
【０００１】本考案は疾病で寝たきり状態の病人の排便でお尻等の皮膚の荒れを防ぐ為に考案、おむつの真ん中に直径は５ｃｍ程の穴をあける、穴に通して、おむつ内側上部にツルツルしたビニール袋上部を接着し、ビニール袋の中したには便を吸着するパッドを接着、お尻等皮膚に過分な便の付着での皮膚の荒れを防ぎより一層の清潔感保持の特徴を持った簡易おむつである。
【技術分野】
【０００２】本考案は寝たきり状態の病人の排便に関するものである
【考案の概要】
【０００３】
【考案が解決しようとする課題】
【０００４】排便でお尻等の皮膚の荒れを解決する
【課題を解決するための手段】
【０００５】おむつの真ん中に穴をあけビニール袋を接着した
【考案の効果】
【０００６】排便でお尻の皮膚等の荒れを防ぎ清潔感である
【図面の簡単な説明】
【０００７】
【図１】本考案の実施本体の正面図である
【考案を実施するための形態】
【実施例】
【０００８】図１  ▲１▼おむつ
▲２▼おむつにあけた真ん中の穴
▲３▼ビニール袋の上部を穴の上に接着した
▲４▼袋の中下に排便を吸着するパッドを接着した
【符号の説明】
【０００９】▲１▼おむつ
▲２▼穴
▲３▼排便をためるビニール袋
▲４▼便を吸着するパッド
【図１】
0003224285.tif 000003
【手続補正書】
【提出日】令和1年10月1日(2019.10.1)
【手続補正１】
【補正対象書類名】実用新案登録請求の範囲
【補正対象項目名】全文
【補正方法】変更
【補正の内容】
【実用新案登録請求の範囲】
【請求項１】
疾病で寝たきり病人の排便に使用するオムツに袋を付けたオムツであり、
使用するおむつの真ん中に５ｃｍ四方の穴をあけ、その穴に別のオムツパットを袋状にして装着して、袋の中に便が溜まる仕組を特徴とした、肛門周辺の皮膚の荒れを防ぐ簡易オムツ。
(57)【要約】      （修正有）【課題】ウォーキングやランニングなどの運動時、手の位置を心臓に近づけることで、掌、指などの痺れ、むくみを防止する手の位置固定用ハンドグリップを提供する。【解決手段】ハンドグリップ１に首掛け用ベルト２を設け、コキ３にて首掛け用ベルトの長さを調整し、首掛け用ベルトを首に掛けることでハンドグリップの位置を心臓付近に固定する。又、ハンドグリップを持ち続けることで疲労した手を手掛け用ベルト４で支えることにより、長時間、手の位置を維持することが可能になり、掌、指などの痺れ、むくみの防止に役立つ。【選択図】図１
0003224287.tif 000002
【実用新案登録請求の範囲】
【請求項１】
ハンドグリップに首掛け用ベルトと手掛け用ベルトを設け、首掛け用ベルトには長さの調整できるコキを装着した構成を特徴とする、手の位置固定用ハンドグリップ。
【請求項２】
ハンドグリップはスポンジゴムと木材、首掛け用ベルトと手掛け用ベルトは革製又は樹脂製を使用することを特徴とする、請求項１に記載のハンドクリップ。
【考案の詳細な説明】
【技術分野】
【０００１】
手の位置を固定するために長さ調整可能な首掛け用ベルトを装着した、ハンドグリップに関するものである。
【背景技術】
【０００２】
ウォーキング、ランニングなどの運動する時、意識しないと手の位置が心臓より下になる。
【考案の概要】
【考案が解決しようとする課題】
【０００３】
手の位置が長時間、心臓より下にした場合、指先の血行が悪くなり、掌、指の痺れやむくみの原因となる。従って、手の位置を心臓付近の位置に固定させることで、意識しなくても指先の血行が悪くなるのを防ぐ。
【課題を解決するための手段】
【０００４】
本考案は、ハンドグリップに首掛け用ベルトを設け、首掛け用ベルトの長さをコキで調整可能にすることで、ハンドクリップを心臓付近の位置に固定することができる。
【考案の効果】
【０００５】
上述の様に、手の位置固定用ハンドグリップは、首掛け用ベルトの長さを調整し、手の位置を心臓の近くに固定できることで、指先の血行を良くし、掌、指の痺れやむくみの防止に役立つ。又、ハンドグリップを使用しているため、手の位置を固定したまま握力を高めることにも役立つ。
【図面の簡単な説明】
【０００６】
【図１】本考案の手の位置固定用ハンドグリップの一実施例を示す正面図
【図２】本考案の首掛け用ベルトのみを使用した正面図
【図３】本考案のハンドグリップをグリップに変えた正面図
【図４】図３に手掛け用ベルトを装着した正面図
【考案を実施するための形態】
【０００７】
本考案のハンドグリップは、図１で示す通り２つのハンドグリップ１を首掛け用ベルト２で繋げ、各グリップに手掛け用ベルト４、首掛け用ベルト２にコキ３を装着し、構成されている。
【０００８】
材質として、ハンドグリップ１はスポンジゴムと木材を使用。首掛け用ベルト２と手掛け用ベルト４は革製又は樹脂製の幅のあるベルトにすることで、皮膚を痛めず、首や手の負担を軽くさせる。そして、蛍光色もしくは反射材を使用したベルトにすることで、視認性を高める。
【実施例】
【０００９】
添付図面に従って、一実施例を説明する。１は握力を高めるためのハンドグリップ。２は首に掛けることで手の位置を決めることができ、手の疲れを支援する首掛け用ベルト。３は首掛け用ベルト２の長さを調整するためのコキ。４は手の疲労時に支える手掛け用ベルト。５は手の位置を確保するためのグリップである。
【００１０】
本考案の一実施例は、上述の構成からなり、ウォーキング、ランニングなどの運動時に、手の位置を固定することは勿論であるが、ハンドグリップ１で握力を高めることも可能である。
【符号の説明】
【００１１】
１    ハンドグリップ
２    首掛け用ベルト
３    コキ
４    手掛け用ベルト
５    グリップ
【図１】
0003224287.tif 000003
【図２】
0003224287.tif 000004
【図３】
0003224287.tif 000005
【図４】
0003224287.tif 000006
【手続補正書】
【提出日】令和1年7月28日(2019.7.28)
【手続補正１】
【補正対象書類名】実用新案登録請求の範囲
【補正対象項目名】請求項１
【補正方法】変更
【補正の内容】
【請求項１】
首掛け用ベルトとコキで手の位置を決めることができ、首掛け用ベルトの両端にグリップを付けることで、掌が痛くならない。各グリップに手掛け用ベルトを付けることで、腕が疲れた時に手を支える。各グリップをハンドグリップに交換した場合、操作しながら歩行することで、握力を向上させる。これらの構成を特徴とした、手の位置固定用ハンドグリップ。
【手続補正書】
【提出日】令和1年10月3日(2019.10.3)
【手続補正１】
【補正対象書類名】実用新案登録請求の範囲
【補正対象項目名】請求項１
【補正方法】変更
【補正の内容】
【請求項１】
首掛け用ベルトで輪を作り、その輪の各両端に、グリップと手首が通せるくらいの輪に作成した手掛け用ベルトを通して、コキで首掛け用ベルトの輪を繋げた構成を特徴とする、手の位置固定用ハンドクリップ。